(57)【特許請求の範囲】
【請求項１】
土留壁に設置されて、一端を外部に開口させ、他端が土中に埋まった状態にある水抜きパイプ(７)の埋込側開口端(72)に対して、フィルタ(１)を装着する方法であって、
フィルタ(１)は、水抜きパイプの内径側に嵌合する有底筒状部(２)と、当該筒状部(２)の端部から径方向外側へと延在して土留壁の土中背面側に当接するフランジ部(３)と、を備えており、
当該方法は、
上記フィルタを、フランジ部(３)の外周縁から有底筒状部(２)の中央付近にまで切り込んで、切込部近傍を部分的にオーバーラップさせて縮径させる第１工程と、
縮径状態にあるフィルタを、装着用差込パイプ(11)の端部内径側に、フランジ部(３)をパイプ外周面よりも外側に突出させた状態で挿入固定する第２工程と、
装着用差込パイプ(11)のフィルタ(１)が固定された先端を、水抜きパイプ(７)の外部開口(71)から挿入して、埋込側開口端(72)にまで押し進める第３工程と、
装着用差込パイプの外周面から外側に突出するフランジ部(３)を、水抜きパイプの埋込側開口端(72)に引っ掛けて、フィルタを装着用差込パイプから離脱させて、当該フィルタを水抜きパイプの埋込側開口端部に位置させる第４工程と、を含むことを特徴とする装着方法。
【請求項２】
土留壁に設置されて、一端を外部に開口させ、他端が土中に埋まった状態にある水抜きパイプ(７)の埋込側開口端(72)に対して、フィルタ(１)を装着する方法であって、
フィルタ(１)は、水抜きパイプの内径側に嵌合する有底筒状部(２)と、当該筒状部(２)の端部から径方向外側へと延在して土留壁の土中背面側に当接するフランジ部(３)と、を備えており、
当該方法は、
上記フィルタを、フランジ部(３)の外周縁から有底筒状部(２)の中央付近にまで切り込んで、切込部近傍を部分的にオーバーラップさせて縮径させる第１工程と、
縮径状態にあるフィルタを、装着用差込パイプ(11)の端部内径側に挿入固定する第２工程と、
装着用差込パイプ(11)のフィルタ(１)が固定された先端を、水抜きパイプ(７)の外部開口(71)から挿入して、埋込側開口端(72)にまで押し進める第３工程と、
装着用差込パイプの端部内径側に固定されたフィルタを水抜きパイプの埋込側開口端(72)近傍に位置させた状態で、水抜きパイプの外部開口(71)から挿通させた棒材(17)でフィルタの底壁部を叩くことで、当該フィルタを装着用差込パイプから離脱させるとともに、縮径状態から復元させてパイプの埋込側開口端部に装着する第４'工程と、を含むことを特徴とする装着方法。
【請求項３】
上記第２工程において、装着用差込パイプ(11)に固定され縮径状態にあるフィルタ筒状部(２)の内側に、筒状部(２)の縮径前状態における径寸法とほぼ等しい寸法の透水マット(20)を、縮径状態の筒状部(２)から山形に突出するように配置することを特徴とする、請求項１または２記載の装着方法。
【請求項４】
上記第４工程の後で、フィルタ(１)の有底筒状部(２)の底壁部(４)を棒材(17)で押圧することで、縮径状態にあるフィルタ(１)の復元を促進する第５工程をさらに含むことを特徴とする、請求項１記載の装着方法。
【発明の詳細な説明】
【０００１】
【発明の属する技術分野】
本発明は、擁壁や石積壁等の水抜きパイプに取り付けられ、土砂や礫あるいはゴミ等がパイプ内に流出するのを防止するフィルタに関する。さらに詳しくは、そのようなフィルタを、土中に埋まった状態にある水抜きパイプに対して取り付ける方法に関する。
【０００２】
【従来の技術】
本件出願人は、擁壁等の成形過程において、水抜きパイプに簡単かつ確実に固定できるフィルタを既に開発し、実用新案権を取得している(実用新案登録第1757483号)。このフィルタについて、図１〜図４を参照して簡単に説明する。
【０００３】
図１は、水抜きパイプ用フィルタ１を表側から見た斜視図で、図２はそれを裏側から見た斜視図である。フィルタ１は、有底円筒形状の筒状部２と、その外周部から径方向外方へ延出したフランジ部３とで構成されている。筒状部２の底面には、格子状のフィルタ部４が形成されている。
【０００４】
また、筒状部２の外周面には、フィン状の寸法調整部５が軸方向に沿って径方向外方へ突出している。フィルタ１は、その全体がポリエチレン等の剛性を有しつつも比較的弾性にも富む合成樹脂材により一体的に成型されている。
【０００５】
フィルタ１は、図３に示したように、擁壁等の壁体６を貫通する水抜きパイプ７の埋戻し土砂８側に臨む側の端部に取り付けられる。筒状部２の外径は、水抜きパイプ７の寸法誤差や埋設時の変形も考慮してパイプ７の内径寸法よりも若干小さくされているが、寸法調整部５が弾性変形して筒状部２をパイプ７内に確実に固定する。なお、土砂の土質状態に応じて、繊維状フィルタ(透水マット)を筒状部２の中に収納して、２重フィルタとして用いることも可能である(図７参照)。
【０００６】
また、壁体６の土中側背面は、図３に示したように鉛直面である場合だけでなく、図４に示したように傾斜している場合もある。そのような場合であっても、フランジ部３およびフィン５の変形によってその傾斜角を吸収することができる。
【０００７】
【発明が解決しようとする課題】
上述のフィルタは、擁壁の成形過程において、擁壁の背面側に土砂等を埋め戻す前に、擁壁背面に固定される。そして、その固定作業を簡単かつ確実に行なうことができる。
【０００８】
しかしながら、フィルタ１の装着を怠ったまま埋戻しを完了してしまった場合や、工事後に仕様変更があった場合等には、土中に埋まっている状態にある水抜きパイプに対して、フィルタ１を装着することが必要となる。この作業は、極めて困難であり、実際には、埋戻した土砂等を再度掘り返すことが必要となる。
【０００９】
このような装着作業を、再度の掘返しを行なうことなく実現できれば、大掛かりな再工事を省略できるだけでなく、人件費の節約等の観点からも非常に好ましい。本発明は、かかる要望に応えるべく、土中に埋まった状態にある水抜きパイプの端部に、フィルタを簡単かつ確実に装着する方法を提供するものである。
【００１０】
【課題を解決するための手段・作用・効果】
本発明により、以下の特徴を備えたフィルタ装着方法が提供される。すなわち、本発明の装着方法においては、まず、フィルタにスリット状の切込みを入れて、部分的にオーバーラップさせることで縮径させる。そして、縮径状態にあるフィルタを、水抜きパイプに挿入可能な小径の装着用差込パイプに装着固定する。次に、装着用差込パイプの先端に固定したフィルタを、水抜きパイプの外部開口から挿入し、埋込側開口端付近にまで進入させて、土砂を押し退ける。その後、装着用差込パイプの先端に固定されているフィルタのフランジ部を水抜きパイプの埋込側開口端の縁に引っ掛けて、装着用差込パイプを引き戻す。これにより、装着用差込パイプの先端からフィルタが離脱するとともに、フィルタは、自身の弾性により、縮径前の状態に復帰する。
【００１１】
上記本発明の装着方法によれば、一方の端が外部に開口し、他端が土中に埋め込まれた状態にある水抜きパイプに対して、フィルタを外部開口から進入させて、埋込側開口端に装着することができる。しかも、その際に、土留壁(例えば、擁壁や石積壁等)の背面側に存在する土砂や礫等を再度、掘り起こす必要もないので、装着作業が非常に簡単である。
【００１２】
なお、本発明においては、上述のように「装着用差込パイプの先端に固定したフィルタを、水抜きパイプの外部開口から挿入し、埋込側開口端付近にまで進入させて、土砂を押し退けた」後で、次のようにしてもよい。すなわち、装着用差込パイプの端部内径側に固定されたフィルタを水抜きパイプの埋込側開口端近傍に位置させた状態で、水抜きパイプの外部開口から挿通させた棒材でフィルタの底壁部を叩く。こうすることで、当該フィルタを装着用差込パイプから離脱させるとともに、縮径状態から復元させてパイプの埋込側開口端部に装着する。
【００１３】
かかる方法を採用した場合には、フィルタは、差込パイプ先端から離脱すると同時に、縮径状態からの復元が促進されることとなるので好都合である。
【００１４】
【発明の実施の形態】
本発明の実施形態を添付の図面を参照して以下に詳細に説明する。本発明において使用するフィルタは、図１および図２に示したものであって、水抜きパイプ７の内径側に嵌合する有底筒状部２と、当該筒状部２の端部から径方向外側へと延在して土留壁の土中背面側に当接するフランジ部３と、を備えている。
【００１５】
まず、図５(ａ)に示したように、フィルタ１を、フランジ部３の外周縁から有底筒状部２の中央付近にまでスリット状に切り込む。これは、図５(ｂ)に示したように、スリット部15の周辺を部分的にオーバーラップさせて、フィルタ１の外径が小さくなるように縮径させるためである。
【００１６】
このように縮径させたフィルタ１を、装着用差込パイプ11の一端に挿入して固定する。具体的には、縮径状態にある筒状部２を、装着用差込パイプ11の内径側に挿入すると、筒状部２は、その復元力によってパイプ11の内周面に圧接し、これにより、フィルタ１がパイプ11の端部に固定される。図６(ａ)は、パイプ11の先端に固定されたフィルタ１を示す斜視図であり、図６(ｂ)は、その一部破断断面図である。
【００１７】
フィルタ１に対してどの程度の深さでスリット15を形成するかは、装着用差込パイプ11および水抜きパイプ７の径寸法との兼合いで、適宜選択する。
【００１８】
なお、筒状部２の外周面には、寸法調整用フィン５が形成されているが、縮径時のオーバーラップを簡単に実現するためには、図５に示したように、スリットの側方に位置する少なくとも１つのフィンを切除することが好ましい(図５中において、５'は、切除されたフィンが形成されていた位置を示している)。また、他のフィンについても、装着用差込パイプ11の内径寸法との関係で、適宜切除したり、部分的に切り落として高さ調節することが好ましい。
【００１９】
なお、土質状態によっては、筒状部底面の格子状フィルタ部４のみでは、土砂のパイプ７内への流出を十分に防ぐことができない場合もある。そのような場合には、筒状部２内に、目の細かい繊維状フィルタ(透水マット)20を配置して２重フィルタとすることが好ましい。
【００２０】
そのような２重フィルタを装着用差込パイプ11を用いて、水抜きパイプ７に装着する場合には、図７に示したように、縮径状態にあるフィルタ１の筒状部２内に繊維状フィルタ(透水マット)20を予め配置しておく。図７は、図６(ｂ)に対応する一部破断断面図である。
【００２１】
繊維状フィルタ(透水マット)20の寸法は、筒状部２が最終的に拡がった状態に合わせて設定されているので、縮径状態にある筒状部２の内側に装着するためには、湾曲状態にする必要がある。その場合に、漏斗状に凹む筒状部２の底面に沿わせて配置するのではなく、図７に示したように、山形に突出するように湾曲させて、繊維状フィルタ(透水マット)20を筒状部２内に配置することが好ましい。繊維状フィルタ(透水マット)20を筒状部２の底面に沿わせて配置すると、マット自身の反発力により、当該マットが外側(図７中の上側)へと飛び出す方向に力が作用して、脱落し易くなってしまうからである。
【００２２】
次に、図８〜図11を参照して、作業手順を説明する。図８〜図11は、本発明の装着方法による作業を模式的に示したものである。
【００２３】
まず、フィルタ１が固定された装着用差込パイプ11の先端を、水抜きパイプ７の外部開口71から挿入して、埋込側(土中側)開口端72付近にまで押し進める(図８)。装着用差込パイプ11としては、当然に、その外径が水抜きパイプ７の内径よりも小さいものを使用する。
【００２４】
フィルタが装着されていない埋込側開口端72は、土砂８で閉止されている。したがって、これを装着用差込パイプ先端で、トントンと何回かぶつけることで、土砂を押し退ける(図９)。
【００２５】
これにより、水抜きパイプ７の埋込側開口端72と土砂８との間にある程度の隙間Ｓを形成する。そして、装着用差込パイプ11の外周面から外側に突出するフランジ部３を、隙間Ｓ内に導入して、水抜きパイプの埋込側開口端に引っ掛ける(図10)。その状態で、装着用差込パイプ11を引き戻すと、フィルタ１がパイプ11から離脱して、水抜きパイプの埋込側開口端部に位置する。
【００２６】
このようにフランジ部３を水抜きパイプ７の開口端に引っ掛けるためには、フィルタ１は、装着用差込パイプ11の先端に固定されたとき、フランジ部３がパイプ11の外周面よりも外側に突出した状態となっていることが必要である。
【００２７】
フィルタ１は、軟質ポリエチレン等の弾性材料で作られているので、装着用差込パイプ11から離脱すると、自身の弾性に起因する復元力によって、縮径状態からもとの状態に復帰し、これによって、水抜きパイプの埋込側開口端部72に係合する。実際の作業では、フィルタ１を装着用差込パイプ11から離脱させた後で、当該パイプ先端を利用して、フィルタ１の位置または姿勢を微調整することが好ましい。フィルタ１の位置決めが終わったら、最後に、装着用差込パイプ11を引き抜いて、作業を完了する(図11)。なお、場合によっては、図12に示したように、水抜きパイプ７の外部開口71側へ向かって山形に突出したフィルタの底壁部４を、パイプ11または別の棒材17を用いて繰り返し押し付けることで、フィルタ１の縮径状態からの復元を促進してやることが好ましい。
【００２８】
以上の装着作業は、図４に示したように壁体６の背面が傾斜している場合であっても基本的には同じであるが、その場合には、水抜きパイプ７の図４中下方側の端部にフランジ部３を引っ掛けて、フィルタ１を装着用差込パイプ11から離脱させると、都合がよい。
【００２９】
本発明のフィルタ装着方法において、フィルタ１、水抜きパイプ７、および装着用差込パイプ11の好ましい組み合わせを表１に示した。
【表１】
0003664712.tif 000002
フィルタのサンプルNo.75を例にとって、表１の見方を説明すると、次の通りである。このフィルタの筒状部の外径は76m/mφである。このフィルタは、水抜きパイプとして使用されるＶＰ75およびＶＵ75(ＪＩＳ規格)の硬質塩化ビニル管に対して使用するのに適している。そして、これらの水抜きパイプに対する装着用差込パイプとしては、「ＶＵ65管は適さないが、ＶＰ65管は適する」ということである。
【００３０】
ＶＵ65管およびＶＰ65管は、ともに外径76m/mφで等しいが、ＶＰ管の方が肉厚な分だけ、その内径が小さい(67m/mφ)。すなわち、水抜きパイプの内部に通す管としての外径が同じであっても、内径が小さい分だけ、フィルタをより縮径させた状態で保持することができる。これが、ＶＵ管よりもＶＰ管の方が装着用差込パイプとして適している理由である。他のサンプルNo.のフィルタについても同様のことが表１から読み取れる。
【００３１】
土中に埋まった状態にある水抜きパイプ７および装着用差込パイプ11について、ＶＰ管とＶＵ管とのどちらが適しているかについては、一般的に次のように考えることができる。
土中に埋まった水抜きパイプ７
外径寸法が同じなら、薄くて内径の大きなＶＵ管の方が、その中に装着用差込パイプ11を通し易いという点で優れる。しかし、厚みの大きいＶＰ管は、内径が小さいので装着用差込パイプ11からフィルタ１を離脱させる際のフランジ部３の引っ掛かりが良いという点で優れる。
装着用差込パイプ11
外径寸法が同じなら、分厚くて内径の小さいＶＰ管の方が好ましい。その理由は、内径が小さいほど、フィルタ１をより小さく縮径させた状態で保持することができ、その結果、水抜きパイプ７の中を通し易くなるからである。
【００３２】
別例の方法
次に、本発明のフィルタ装着方法の別例を説明する。この方法では、図９までの作業手順は既に説明した手順と同じであるが、その後の手順が異なる。図９以後の作業手順を、図13〜図15を参照して説明する。
【００３３】
図９に示した状態では、縮径状態にあるフィルタ１を先端に固定した装着用差込パイプ11を用いて、埋込側開口端72を閉止する土砂８を押し退けて、隙間Ｓを形成している。その状態で、図13に示したように、パイプ11内に棒材17を通し、この棒材17でパイプ先端に固定されたフィルタ１の山形に突出した底壁部を叩く。
【００３４】
これにより、フィルタ１は、パイプ11の先端から離脱するとともに、棒材17で底壁部を叩かれたことで、縮径状態からほとんど元の状態へと復帰して、水抜きパイプ７の埋込側開口端に装着される(図14参照)。
【００３５】
その後、図14に示したように、差込パイプ11および棒材17を引き抜いて、作業を完了する(図15参照)。この方法においては、縮径状態にあるフィルタ１を差込パイプ11の先端から離脱させる際に、棒材17でその底壁部を叩いている。したがって、図14および図15からも分かるように、パイプ先端からの離脱と同時に、縮径状態からの復元の促進も行なわれている。つまり、フィルタ１が差込パイプ11から離脱した後において、棒材17を用いて復元を促進するというような個別の工程(図12参照)は不要となる。
【００３６】
なお、この別例の装着方法においては、差込パイプ11の先端からフィルタ１を離脱させるために、フランジ部３を水抜きパイプ７の埋込側開口端に引っ掛けるということは不要である。したがって、縮径状態にあるフィルタを差込パイプ11の一端に挿入固定する際に、フィルタのフランジ部３を差込パイプ11外周面よりも外側に突出させておく必要はない。
【図面の簡単な説明】
【図１】  本発明のフィルタ装着方法で使用するフィルタの一例を示す斜視図である。
【図２】  図１のフィルタを裏面側から見た斜視図である。
【図３】  図１のフィルタが土中に埋まった水抜きパイプに装着されている状態を示す断面図である。
【図４】  図１のフィルタが土中に埋まった水抜きパイプに装着されている状態を示す断面図である。この例では、土中側の壁面が傾斜している。
【図５】  本発明の装着方法において、フィルタを縮径させる工程を説明する斜視図である。
【図６】  縮径されたフィルタが装着用差込パイプの先端に取り付けられた状態を示す斜視図およびその一部破断断面図である。
【図７】  図１のフィルタの筒状部に繊維状フィルタ(透水マット)を配置した場合を説明する一部破断断面図であって、図６(ｂ)に対応するものである。
【図８】  本発明の装着方法による工事作業を説明する模式図である。
【図９】  本発明の装着方法による工事作業を説明する模式図である。
【図１０】  本発明の装着方法による工事作業を説明する模式図である。
【図１１】  本発明の装着方法による工事作業を説明する模式図である。
【図１２】  本発明の装着方法による工事作業を説明する模式図である。
【図１３】  別例の装着方法による工事作業を説明する模式図である。
【図１４】  別例の装着方法による工事作業を説明する模式図である。
【図１５】  別例の装着方法による工事作業を説明する模式図である。
【符号の説明】
１  フィルタ
２  筒状部
３  フランジ部
４  フィルタ部
５  フィン(寸法調整部)
６  壁体
７  水抜きパイプ
８  埋戻し土砂
９  切落し部
11  装着用差込パイプ
15  スリット(切込み)
17  棒材
20  繊維状フィルタ(透水マット)
71  外部開口
72  埋込側開口
【図１】
0003664712.tif 000003
【図２】
0003664712.tif 000004
【図３】
0003664712.tif 000005
【図４】
0003664712.tif 000006
【図５】
0003664712.tif 000007
【図６】
0003664712.tif 000008
【図７】
0003664712.tif 000009
【図８】
0003664712.tif 000010
【図９】
0003664712.tif 000011
【図１０】
0003664712.tif 000012
【図１１】
0003664712.tif 000013
【図１２】
0003664712.tif 000014
【図１３】
0003664712.tif 000015
【図１４】
0003664712.tif 000016
【図１５】
0003664712.tif 000017